(57)【要約】【課題】無線通信により装置に処理を実行させる場合に、その処理のエラー情報をユーザに適切に通知することができる情報処理装置を提供する。【解決手段】携帯端末から無線通信手段を介して情報処理装置に所定の処理を実行させるための情報を受信し、その情報に従って前記所定の処理を実行する。その所定の処理の実行におけるエラーが発生した場合に、前記無線通信手段による通信における前記情報処理装置のモードを、前記無線通信手段により携帯端末に情報を発信するためのモードに移行させるとともに、前記無線通信手段を介して前記エラーを通知するための情報を発信する。【選択図】図２９
2013187567.tif 000002
【特許請求の範囲】
【請求項１】
無線通信手段により通信を行う情報処理装置であって、
携帯端末から前記無線通信手段を介して前記情報処理装置に所定の処理を実行させるための情報を受信する受信手段と、
前記受信手段が受信した前記情報に従って前記所定の処理を実行する実行手段と、
前記実行手段による前記所定の処理の実行におけるエラーが発生した場合に、前記無線通信手段による通信における前記情報処理装置のモードを、前記無線通信手段により携帯端末に情報を発信するためのモードに移行させるとともに、前記無線通信手段を介して前記エラーを通知するための情報を発信する発信手段と、
を備えることを特徴とする情報処理装置。
【請求項２】
前記情報処理装置は印刷装置であり、前記印刷装置による印刷がエラーとなった場合に、前記発信手段は前記エラーを示す情報を発信することを特徴とする請求項１に記載の情報処理装置。
【請求項３】
印刷ジョブに因る原因により前記印刷装置による印刷がエラーとなった場合に、前記無線通信手段を介して、当該携帯端末の識別情報を取得する取得手段と、
前記識別情報に基づいて、前記携帯端末が前記印刷ジョブに対応するかを判定する判定手段と、をさらに備え、
前記発信手段は、前記判定手段が前記携帯端末が前記印刷ジョブに対応すると判定した場合に、前記無線通信手段を介して前記エラーを示す情報を発信する、
ことを特徴とする請求項２に記載の情報処理装置。
【請求項４】
前記判定手段が前記携帯端末が前記印刷ジョブに対応すると判定した場合に、前記携帯端末から前記無線通信手段を介して新たな情報を受信しないように、前記受信手段を制御する制御手段、をさらに備えることを特徴とする請求項３に記載の情報処理装置。
【請求項５】
前記情報処理装置が省電力モードであった場合には、前記エラーが発生した場合であっても、前記通信における前記情報処理装置のモードを、携帯端末に情報を発信するためのモードに移行させないことを特徴とする請求項１乃至４のいずれか１項に記載の情報処理装置。
【請求項６】
無線通信手段により通信を行う情報処理装置の制御方法であって、
携帯端末から前記無線通信手段を介して前記情報処理装置に所定の処理を実行させるための情報を受信する受信工程と、
前記受信工程において受信した前記情報に従って前記所定の処理を実行する実行工程と、
当該実行工程において前記所定の処理の実行におけるエラーが発生した場合に、前記無線通信手段による通信における前記情報処理装置のモードを、前記無線通信手段により携帯端末に情報を発信するためのモードに移行させるとともに、前記無線通信手段を介して前記エラーを通知するための情報を発信する発信工程と、
を備えることを特徴とする情報処理装置の制御方法。
【請求項７】
請求項１乃至５のいずれか１項に記載の情報処理装置の各手段としてコンピュータを機能させるプログラム。
【発明の詳細な説明】
【技術分野】
【０００１】
本発明は、無線通信を行う情報処理装置、情報処理装置の制御方法およびプログラムに関する。
【背景技術】
【０００２】
近年の携帯型通信端末装置は通信網を介した通信に加えて近距離無線通信を行うことが知られている。近距離無線通信の相手方の通信装置とは、例えば携帯型通信端末装置やＭＦＰ（Ｍｕｌｔｉ  Ｆｕｎｃｔｉｏｎ  Ｐｒｉｎｔｅｒ）であって、画像データ等の送受信が行われる。通信速度と操作性を鑑みて効率的な通信を実現するために、近距離無線通信を２種類の通信方法で行うことが知られている。特許文献１には、確実に通信相手を特定できる第１の近距離無線通信によって通信対象装置の第２の近距離無線通信方式に必要な情報を互いに送受信し、その情報を用いて第２の近距離無線通信方式による高速な通信を行うことが記載されている。
【０００３】
ここで、第１の近距離無線通信方式とは、例えばＮＦＣ（Ｎｅａｒ  Ｆｉｅｌｄ  Ｃｏｍｍｕｎｉｃａｔｉｏｎ）であり、第２の近距離無線通信方式とは、例えばＢｌｕｅｔｏｏｔｈ（登録商標）や無線ＬＡＮである。特許文献１では、最初にＮＦＣで次の通信の通信方式及び暗号方式を送信しておき、通信が切りかえられる場合は通信を切り替えて第二の通信方式を用いて印刷を行うことが記載されている。
【先行技術文献】
【特許文献】
【０００４】
【特許文献１】特開２００７−１６６５３８号公報
【発明の概要】
【発明が解決しようとする課題】
【０００５】
まず、携帯型通信端末装置はＮＦＣ通信を用いて印刷ジョブを投入するために、印刷装置のＮＦＣ部に接触を行う場合がある。ここで、印刷装置がエラー状態である場合には、印刷ジョブが投入されたにも関わらず印刷が実行できない。そのため、例えばユーザが携帯型通信端末装置を印刷装置に接触させた後、印刷装置から離れた場合、ユーザが予期せずに印刷がエラー状態となってしまう。
【０００６】
本発明の目的は、このような従来の問題点を解決することにある。本発明は、上記の点に鑑み、無線通信により装置に処理を実行させる場合に、その処理のエラー情報をユーザに適切に通知することができる情報処理装置、情報処理装置の制御方法およびプログラムを提供することを目的とする。
【課題を解決するための手段】
【０００７】
上記課題を解決するため、本発明に係る情報処理装置は、無線通信手段により通信を行う情報処理装置であって、携帯端末から前記無線通信手段を介して前記情報処理装置に所定の処理を実行させるための情報を受信する受信手段と、前記受信手段が受信した前記情報に従って前記所定の処理を実行する実行手段と、当該実行手段による前記所定の処理の実行におけるエラーが発生した場合に、前記無線通信手段による通信における前記前記情報処理装置のモードを、前記無線通信手段により携帯端末に情報を発信するためのモードに移行させるとともに、前記無線通信手段を介して前記エラーを通知するための情報を発信する発信手段と、を備えることを特徴とする。
【発明の効果】
【０００８】
本発明によれば、無線通信により装置に処理を実行させる場合に、その処理のエラー情報をユーザに適切に通知することができる。
【図面の簡単な説明】
【０００９】
【図１】無線通信システムの構成を示す図である。
【図２】携帯型通信端末装置の外観を示す図である。
【図３】ＭＦＰの外観を示す図である。
【図４】操作表示部を示す図である。
【図５】印刷候補のサムネイルを表示した例を示す図である。
【図６】ＮＦＣ通信におけるパッシブモードの概念を示す図である。
【図７】ＮＦＣ通信におけるアクティブモードの概念を示す図である。
【図８】携帯型通信端末装置の構成を示すブロック図である。
【図９】ＭＦＰの構成を示すブロック図である。
【図１０】ＮＦＣユニットの詳細構成を示す図である。
【図１１】ＭＦＰの表示部の表示例を示す図である。
【図１２】携帯型通信端末装置の表示部の表示例を示す図である。
【図１３】ＭＦＰのＲＡＭの構成を示す図である。
【図１４】ＭＦＰのフラッシュメモリの構成を示す図である。
【図１５】ＭＦＰのＮＦＣメモリの構成を示す図である。
【図１６】携帯型通信端末装置のＲＡＭの構成を示す図である。
【図１７】携帯型通信端末装置の不揮発性メモリの構成を示す図である。
【図１８】携帯型通信端末装置のＮＦＣメモリの構成を示す図である。
【図１９】認証情報の一例を示す図である。
【図２０】ＮＦＣユニットがイニシエータとして動作する手順を示す図である。
【図２１】パッシブモードによるデータ交換を行うシーケンスを示す図である。
【図２２】アクティブモードによるデータ交換を行うシーケンスを示す図である。
【図２３】ＮＦＣにおけるターゲットの状態遷移を示す図である。
【図２４】図２１の流れを示すフローチャートである。
【図２５】図２２の流れを示すフローチャートである。
【図２６】通信を切り換えてデータ転送を行うシーケンスを示す図である。
【図２７】画像データをプル型で印刷するシーケンスを示す図である。
【図２８】画像データをプッシュ型で印刷するシーケンスを示す図である。
【図２９】本実施例におけるエラー通知方法の手順を示す図である。
【図３０】本実施例におけるエラー通知方法の他の例を示す図である。
【発明を実施するための形態】
【００１０】
以下、添付図面を参照して本発明の好適な実施例を詳しく説明する。尚、以下の実施例は特許請求の範囲に係る本発明を限定するものでなく、また本実施例で説明されている特徴の組み合わせの全てが本発明の解決手段に必須のものとは限らない。なお、同一の構成要素には同一の参照番号を付して、説明を省略する。
【００１１】
本実施例では、低速通信の近接無線通信方式を用いて認証を行ってから、高速通信の無線通信に切り替えて印刷データを送信する例を説明する。具体的には、ＮＦＣ（Ｎｅａｒ  Ｆｉｅｌｄ  Ｃｏｍｍｕｎｉｃａｔｉｏｎ）のような近距離無線通信で認証を行い、他の通信方式の無線通信に通信を引き継ぐ（ハンドオーバ）技術を用いた印刷方法について説明する。
【００１２】
図１は、本実施例における無線通信システムの構成を示す図である。ネットワーク１００を中心にサーバ装置１０１、携帯型通信端末装置２００、情報処理装置の一例であるマルチファンクションプリンタ（ＭＦＰ）３００が接続されている。サーバ装置１０１は、印刷用の画像データのストレージや、ユーザＩＤの管理、画像処理アプリケーションなどで構成されている。携帯型通信端末装置２００は、認証方法、通信速度が異なる少なくとも２種類以上の無線通信方式を持つ。携帯型通信端末装置２００は、ＰＤＡ（Ｐｅｒｓｏｎａｌ  Ｄｉｇｉｔａｌ  Ａｓｓｉｓｔａｎｔ）などの個人情報端末、携帯電話、デジタルカメラなど、印刷対象となるファイルを扱える装置であれば良い。印刷装置の一例となるＭＦＰ３００は、原稿台に原稿を載せて原稿を読み取る読取機能と、インクジェットプリンタなどの印刷部を用いる印刷機能を有している。ＭＦＰ３００は、他にＦＡＸ機能や電話機能を有していても良い。ネットワーク１００とサーバ装置１０１は、有線ＬＡＮで接続されている。ネットワーク１００とＭＦＰ３００は、有線ＬＡＮもしくはＷｉｒｅｌｅｓｓ  ＬＡＮ（ＷＬＡＮ）で接続されている。ネットワーク１００と携帯型通信端末装置２００は、ＷＬＡＮで接続されている。携帯型通信端末装置２００とＭＦＰ３００は、共にＷＬＡＮの機能を有するので、相互認証をすることによりピアツーピア（Ｐ２Ｐ）の通信が可能である。
【００１３】
図２は、携帯型通信端末装置２００の外観を示す図である。本実施例では、携帯型通信端末装置２００として、例えばスマートホンが用いられる。スマートホンとは、携帯電話の機能の他に、カメラや、ネットブラウザ、メール機能などを搭載した多機能型の携帯電話のことである。ＮＦＣユニット２０１は、ＮＦＣを用いて通信を行う。実際には、ユーザがＮＦＣユニット２０１を通信相手先のＮＦＣユニットに１０ｃｍ程度以内に近づけることで通信を行うことができる。ＷＬＡＮユニット２０２は、ＷＬＡＮで通信を行うためのユニットであり、装置内に設けられている。表示部２０３は、ＬＣＤ方式の表示機構を備えたディスプレイである。操作部２０４は、タッチパネル方式の操作機構を備えており、ユーザの押下を検出する。代表的な操作方法としては、表示部２０３がボタン状の表示を行い、ユーザが操作部２０４を押下することによってボタンが押下されたイベントを発行する。電源キー２０５は、ユーザが電源のオンおよびオフをする際に用いられる。
【００１４】
図３は、ＭＦＰの外観を示す図である。原稿台３０１は、ガラス状の透明な台であり、原稿をのせて、スキャナで読み取る時に使用される。原稿蓋３０２は、スキャナで読み取りを行う際に読取光が外部に漏れないようにするための蓋である。印刷用紙挿入口３０３は、様々なサイズの用紙をセットするための挿入口である。ここにセットされた用紙は、一枚ずつ印刷部に搬送され、所望の印刷が行われて印刷用紙排出口３０４から排出される。原稿蓋３０２の上部には、操作表示部３０５およびＮＦＣユニット３０６が設けられている。操作表示部３０５は、図４において後述する。ＮＦＣユニット３０６は、近接無線通信を行うためのユニットであり、ユーザが実際に通信相手先に近接させる箇所である。ＮＦＣユニット３０６から約１０ｃｍが接触の有効距離となる。ＷＬＡＮアンテナ３０７は、ＷＬＡＮで通信するためのアンテナである。
【００１５】
図４は、操作表示部３０５の平面図である。表示部４０６は、画像や操作メニュー等を表示する表示画面であり、例えばドットマトリクスＬＣＤである。十字キー４０１は、表示部上のカーソル移動などに用いられる。セットキー４０２は、設定入力の為のキーであり、機能キー４０３は、機能設定などに用いられる。スタートキー４０４は、印刷の開始などの機能の実行の際に用いられる。
【００１６】
図５は、携帯型通信端末装置２００に印刷候補のサムネイルを表示した例を示す図である。サムネイル５０１は、携帯型通信端末装置２００やサーバ装置１０１内に保存されている各画像データのサムネイルである。ユーザが印刷を行いたい画像を押下すると、フォーカス５０２が表示され、その画像が印刷対象になったことを示す。ユーザは、印刷対象の画像を複数選択することができ、その際に、フォーカス５０２は、表示部２０３上に複数存在する。サムネイルは、一画面で表示しきれない場合には、スクロール表示するようにしても良い。ユーザは、印刷を所望する画像を選択し終わると、印刷開始キー５０３を押下することで印刷ジョブを印刷装置に送信する。
【００１７】
次に、ＮＦＣ通信について説明する。ＮＦＣユニットによる近接通信を行う場合に、始めにＲＦフィールド（Ｒａｄｉｏ  Ｆｒｅｑｕｅｎｃｙ  Ｆｉｅｌｄ）を発信して近距離無線通信を開始する装置をイニシエータと呼ぶ。また、イニシエータの発する命令に応答することで、イニシエータとの通信を行う装置をターゲットと呼ぶ。ＮＦＣユニットの通信モードには、パッシブモードとアクティブモードが存在する。パッシブモードでは、ターゲットは、イニシエータの命令に対して、イニシエータの発するＲＦフィールドを負荷変調することで応答する。一方、アクティブモードでは、ターゲットは、イニシエータの命令に対して、ターゲット自らがＲＦフィールドを発することにより応答する。
【００１８】
図６は、ＮＦＣ通信におけるパッシブモードの概念を示す図である。図６（ａ）のように、イニシエータ６０１からターゲット６０２にデータ６０４をパッシブモードで送信する場合には、イニシエータ６０１がＲＦフィールド６０３を発生する。イニシエータ６０１は、ＲＦフィールド６０３を自ら変調することで、ターゲット６０２にデータ６０４を送信する。また、図６（ｂ）のように、ターゲット６０６からイニシエータ６０５にデータ６０８をパッシブモードで転送する場合、図６（ａ）と同様に、イニシエータ６０５がＲＦフィールド６０７を発生する。ターゲット６０６は、ＲＦフィールド６０７に対して負荷変調を行うことで、イニシエータ６０５にデータ６０８を送信する。
【００１９】
図７は、ＮＦＣ通信におけるアクティブモードの概念を示す図である。図７（ａ）のように、イニシエータ７０１からターゲット７０２にデータ７０４をアクティブモードで送信する場合には、イニシエータ７０１がＲＦフィールド７０３を発生する。イニシエータ７０１は、ＲＦフィールド７０３を自ら変調することで、ターゲット７０２にデータ７０４を送信する。イニシエータ７０１は、データ送信が完了した後、ＲＦフィールド７０３の出力を停止する。また、図７（ｂ）のように、ターゲット７０６からイニシエータ７０５にデータ７０８をアクティブモードで送信する場合には、ターゲット７０６がＲＦフィールド７０７を発生する。ターゲット７０６は、自らが発するＲＦフィールド７０７によってデータ７０８を送信し、送信が終了すると、ＲＦフィールド７０７の出力を停止する。
【００２０】
図８は、携帯型通信端末装置２００のブロック図を表した図である。携帯型通信端末装置２００は、装置のメインの制御を行うメインボード８０１と、ＷＬＡＮ通信を行うＷＬＡＮユニット８１７と、ＮＦＣ通信を行うＮＦＣユニット８１８と、Ｂｌｕｅｔｏｏｔｈ（登録商標）通信を行うＢＴユニット８２１とを含む。
【００２１】
メインボード８０１のＣＰＵ８０２は、システム制御部であり、携帯型通信端末装置２００の全体を制御する。ＲＯＭ８０３は、ＣＰＵ８０２が実行する制御プログラムや組み込みオペレーティングシステム（ＯＳ）プログラム等を格納する。本実施例では、ＲＯＭ８０３に格納されている各制御プログラムは、ＲＯＭ８０３に格納されている組み込みＯＳの管理下で、スケジューリングやタスクスイッチ等のソフトウエア制御を行う。
【００２２】
ＲＡＭ８０４は、ＳＲＡＭ（ｓｔａｔｉｃ  ＲＡＭ）等で構成され、プログラム制御変数や、ユーザが登録した設定値や携帯型通信端末装置２００の管理データ等を格納し、また、各種ワーク用バッファ領域が設けられている。画像メモリ８０５は、ＤＲＡＭ（ｄｙｎａｍｉｃ  ＲＡＭ）等で構成され、通信部を介して受信した画像データや、データ蓄積部８１２から読み出した画像データをＣＰＵ８０２で処理するために一時的に格納する。不揮発性メモリ８２２は、フラッシュメモリ（ｆｌａｓｈ  ｍｅｍｏｒｙ）等で構成され、電源がオフされた後でも保存しておきたいデータを格納する。例えば電話帳データや、過去に接続したデバイス情報などがある。なお、このようなメモリ構成はこれに限定されるものではない。例えば画像メモリ８０５とＲＡＭ８０４とを共有させても良いし、データ蓄積部８１２にデータのバックアップなどを行っても良い。また、本実施例では、ＤＲＡＭを用いているが、ハードディスクや不揮発性メモリ等を使用しても良い。
【００２３】
データ変換部８０６は、ページ記述言語（ＰＤＬ）等の解析や、色変換、画像変換などのデータ変換を行う。電話部８０７は、電話回線の制御を行い、スピーカ部８１３を介して入出力される音声データを処理することで電話による通信を実現している。操作部８０８は、図２で説明した操作部２０４の信号を制御している。ＧＰＳ（Ｇｌｏｂａｌ  Ｐｏｓｉｔｉｏｎｉｎｇ  Ｓｙｓｔｅｍ）８０９は、現在の緯度や経度などを取得する。表示部８１０は、図２で説明した表示部２０３の表示内容を電子的に制御しており、各種入力操作や、ＭＦＰ３００の動作状況、ステータス状況の表示等を行うことができる。カメラ部８１１は、レンズを介して入力された画像を電子的に記録して符号化する機能を有している。カメラ部８１１で撮影された画像は、データ蓄積部８１２に保存される。スピーカ部８１３は、電話機能のための音声を入力または出力する機能や、その他アラーム通知などの機能を実現する。電源部８１４は、例えば携帯可能な電池であり、また、電源制御をおこなう。電源状態には、電池に残量が無い電池切れ状態、ユーザが電源キー２０５を押下していない電源オフ状態、通常起動している起動状態、起動しているが省電力になっている省電力状態がある。
【００２４】
携帯型通信端末装置２００には無線通信するための構成が３つ設けられており、携帯型通信端末装置２００は、ＷＬＡＮ、ＮＦＣ、Ｂｌｕｅｔｏｏｔｈ（登録商標）で無線通信することができる。ＷＬＡＮユニット８１７、ＮＦＣユニット８１８、ＢＴユニット８２１は、ＭＦＰなどの他の装置とのデータ通信を行う通信部である。各ユニット８１７、８１８、８２１は、データをパケットに変換して、他の装置にパケット送信を行う。逆に、外部の他の装置からのパケットをデータに変換して、ＣＰＵ８０２に対して送信する。ＷＬＡＮユニット８１７、ＮＦＣユニット８１８、ＢＴユニット８２１は、それぞれバスケーブル８１５、８１６、８２０でシステムバス８１９と接続されている。ＷＬＡＮユニット８１７、ＮＦＣユニット８１８、ＢＴユニット８２１は、規格に準拠した通信を実現するためのユニットである。ＮＦＣユニット８１８の詳細は、図１０において後述する。
【００２５】
上記各部８０３〜８１４、８１７、８１８、８２１、８２２は、ＣＰＵ８０２が管理するシステムバス８１９を介して、相互に接続されている。
【００２６】
図９は、ＭＦＰ３００の概略構成を示すブロック図である。ＭＦＰ３００は、装置のメインの制御を行うメインボード９０１と、ＷＬＡＮ通信を行うＷＬＡＮユニット９１７と、ＮＦＣ通信を行うＮＦＣユニット９１８と、Ｂｌｕｅｔｏｏｔｈ（登録商標）通信を行うＢＴユニット９１９とを含む。
【００２７】
メインボード９０１のＣＰＵ９０２は、システム制御部であり、ＭＦＰ３００の全体を制御する。ＲＯＭ９０３は、ＣＰＵ９０２が実行する制御プログラムや組み込みオペレーティングシステム（ＯＳ）プログラム等を格納する。本実施例では、ＲＯＭ９０３に格納されている各制御プログラムは、ＲＯＭ９０３に格納されている組み込みＯＳの管理下で、スケジューリングやタスクスイッチ等のソフトウェア制御を行う。
【００２８】
ＲＡＭ９０４は、ＳＲＡＭ（ｓｔａｔｉｃ  ＲＡＭ）等で構成され、プログラム制御変数やユーザが登録した設定値やＭＦＰ３００の管理データ等を格納し、また、各種ワーク用バッファ領域が設けられている。不揮発性メモリ９０５は、フラッシュメモリ（ｆｌａｓｈ  ｍｅｍｏｒｙ）等で構成され、電源がオフされた時でも保持していたいデータを格納する。例えば、ネットワーク接続情報、ユーザデータである。画像メモリ９０６は、ＤＲＡＭ（ｄｙｎａｍｉｃ  ＲＡＭ）等で構成され、各通信ユニットを介して受信した画像データや、符号復号化処理部９１２で処理した画像データや、メモリカードコントローラ５１６を介して取得した画像データなどを蓄積する。また、携帯型通信端末装置２００のメモリ構成と同様に、メモリ構成は上記に限定されるものではない。データ変換部９０７は、ページ記述言語（ＰＤＬ）等の解析や、画像データから印刷データへの変換などを行う。
【００２９】
読取制御部９０８について説明する。読取部９１０は、ＣＩＳイメージセンサ（密着型イメージセンサ）によって原稿を光学的に読み取る。次に、読取部９１０は、電気的な画像データに変換した画像信号を、不図示の画像処理制御部を介して、２値化処理や中間調処理等の各種画像処理を施し、高精細な画像データを出力する。
【００３０】
操作部９０９、表示部９１１は、図４で説明したような操作表示部３０５を含む。符号復号化処理部９１２は、ＭＦＰ３００で扱う画像データ（ＪＰＥＧ、ＰＮＧ等）を符号化／復号化処理したり、拡大／縮小処理を行う。給紙部９１４は、印刷用紙を保持する。給紙部９１４は、記録制御部９１６からの制御で給紙部９１４から給紙を行うことができる。特に、給紙部９１４は、複数種類の印刷用紙を１つの装置に保持するための複数の給紙部を備えても良い。そして、記録制御部９１６により、いずれの給紙部から給紙を行うかについて制御される。
【００３１】
記録制御部９１６は、印刷される画像データに対し、不図示の画像処理制御部を介して、スムージング処理や記録濃度補正処理、色補正等の各種画像処理を施し、高精細な画像データに変換して、記録部９１５に出力する。また、記録制御部９１６は、印刷部の情報を定期的に読み出してＲＡＭ９０４の情報を更新する役割も果たす。印刷部の情報とは、例えば、インクタンクの残量やプリントヘッドの状態である。ＭＦＰ３００にも携帯型通信端末装置２００と同様に無線通信するための構成が３つ設けられており、上記における説明と同じである。各部９０２〜９１９は、ＣＰＵ９０２が管理するシステムバス９２３を介して、相互に通信可能に接続されている。
【００３２】
図１０は、ＮＦＣユニット８１８やＮＦＣユニット９１８として用いられるＮＦＣユニット１０００の詳細構成を示す図である。ＮＦＣユニット１０００は、ＮＦＣコントローラ部１００１と、アンテナ部１００２と、ＲＦ部１００３と、送受信制御部１００４と、ＮＦＣメモリ１００５と、電源１００６と、デバイス接続部１００７とを有する。アンテナ部１００２は、他のＮＦＣデバイスから電波やキャリアを受信したり、他のＮＦＣデバイスに電波やキャリアを送信したりする。ＲＦ部１００３はアナログ信号をデジタル信号に変復調する機能を備えている。ＲＦ部１０３はシンセサイザを備えていて、バンド、チャネルの周波数を識別し、周波数割り当てデータにより、バンド、チャネルを制御する。送受信制御部１００４は、送受信フレームの組み立て及び分解、プリアンブル付加及び検出、フレーム識別など、送受信に関する制御を行う。送受信制御部１００４は、ＮＦＣメモリ１００５の制御も行い、各種データやプログラムを読み書きする。
【００３３】
ＮＦＣユニット１０００がアクティブモードとして動作する場合には、電源１００６を介して電力の供給を受ける。そして、デバイス接続部１００７を介してデバイスと通信したり、アンテナ部１００２を介して送受信されるキャリアにより、通信可能な範囲にある他のＮＦＣデバイスに電磁誘導による起電力を発生させて通信する。一方、パッシブモードとして動作する場合には、アンテナを介して他のＮＦＣデバイスからキャリアを受信して電磁誘導により通信相手側となる他のＮＦＣデバイスから電力の供給を受ける。そして、キャリアの変調により当該他のＮＦＣデバイスとの間で通信を行ってデータを送受信する。
【００３４】
図１１は、ＭＦＰ３００の表示部４０６の表示例を示す図である。携帯型通信端末装置２００から印刷ジョブを受信した場合には、表示部４０６には印刷ジョブ確認画面１１０１が表示される。また、読取ジョブを受信した場合には、読取ジョブ確認画面１１０２が表示される。
【００３５】
図１２は、携帯型通信端末装置２００の表示部２０３の表示例を示す図である。プリンタ選択画面１２０１は、印刷するプリンタを選択する画面を示す例である。印刷状態表示画面１２０２は、印刷ジョブを投入した印刷装置の現在の状態をリアルタイムに表示している例である。
【００３６】
図１３は、ＭＦＰのＲＡＭ９０４の構成を示す図である。１３０１は、ＲＡＭ全体を表している。ワークメモリ１３０２は、プログラムの実行のために確保されるメモリである。画像処理バッファ１３０３は、画像処理のために一時的なバッファとして使用される領域である。機器状態記憶部１３０４は、ＭＦＰ３００の現在の状態に関する様々な情報が記憶されている。エラー状態１３０５は、ＭＦＰ３００のエラーに関する状態を記憶している。エラーに関する状態とは、例えば、インク少警告、インク無エラー、紙ジャムエラー、用紙無し警告、印字画像画像不良警告、読取画像不良エラー、ネットワーク切断警告、である。これらの警告やエラーには、印刷機能への影響度、読取機能への影響度などが関連付けられている。例えば、インク無エラーの場合、印刷機能は使用できないが、読取機能は使用できるといったことである。ネットワーク切断警告の場合、ネットワークを使う機能は使用できないが、機器単体で行う設定変更や読取機能は使用できるといったことである。インク残量１３０６には、現在取り付けられているインクタンクの型番やインク残量が記憶されている。インクタンクの型番は、インクタンクが取り付けられたタイミングで更新される。インク残量は、インクが使用される毎に更新される。次回推定起動時間１３０７は、電源がオフされた時に、次に起動する時の推定起動時間が記憶されている。ＭＦＰの起動時間は状態によって大きく異なる。例えば、ＭＦＰの電源状態には、ハードオフ状態、ソフトオフ状態、通常起動状態、スリープ状態が存在する。
【００３７】
ハードオフ状態とは電力の供給が途絶えている状態であり、電源を投入してハードオフ状態から通常起動状態にする場合は大きな時間を要する。ソフトオフ状態とは、部分的には電源は投入されているが、メインのプログラムは起動していない状態であり、ハードオフよりは早い時間で起動することができる。スリープ状態とは、電源消費が大きな部分がオフにされており、それ以外のプログラムや機構は動作しているので、比較的早く通常起動状態に戻ることができる。また、起動時間が変動する別の要因として、機器のエラー状態がある。例えばインクジェット記録方式による記録ヘッドのノズルの目詰まりが多いことを検出した時には次の起動で長時間の回復処理を行ってから起動する。また、スキャナの光量が落ちている時には、調整動作を行ってから起動する。このように電源の状態遷移、および機器の状態によって、次に起動する時の推定起動時間が決定される。その他１３０８には、現在のメモリ使用量、ハードウェアの温度、消耗品情報など、その他の機器状態が格納されている。また、その他１３０９には、他のＲＡＭデータが格納されている。
【００３８】
図１４は、ＭＦＰ３００のフラッシュメモリ９０５の構成を示す図である。１４０１は、フラッシュメモリ全体を表している。ユーザデータ１４０２は、ユーザに関する情報が記憶されており、例えばＦＡＸの電話番号、通信履歴、ネットワーク情報などが格納されている。過去に接続した装置リスト１４０３は、ＭＦＰ３００がこれまでに接続した装置のリストが格納されている。例えばスマートホンとＮＦＣで通信した場合には、スマートホンの識別子がリスト１４０５として記憶される。また、カメラとＮＦＣで通信した場合には、カメラの識別子がリスト１４０４として記憶される。
【００３９】
スマートホンとＷＬＡＮでＰ２Ｐで接続した場合は、ＷＬＡＮで接続するための識別情報が記憶される。例えば、ＷＬＡＮ接続のためにＷＰＳ（Ｗｉ−Ｆｉ  Ｐｒｏｔｅｃｔｅｄ  Ｓｅｔｕｐ）が使用される場合には、ＷＰＳ  Ｃｒｅｄｅｎｔｉａｌ認証情報が記憶される。スマートホンとＢｌｕｅｔｏｏｔｈで接続した場合には、ＯＯＢ認証情報が記憶される。サーバ装置とＬＡＮ経由で接続した場合には、サーバ装置のネットワーク情報が記憶される。設定情報１４０６はＭＦＰ装置の設定情報が記憶される。例えば印刷モードなどのメニュー項目や、インクジェット記録方式における記録ヘッドの補正情報などが記憶される。その他１４０７には、他の不揮発情報が記憶される。
【００４０】
図１５は、ＭＦＰ３００のＮＦＣメモリ１００５の構成を示す図である。１５０１は、ＮＦＣメモリ全体を表している。機器状態記憶部１５０２は、所定のタイミングで機器状態記憶部１３０４の内容がコピーされる。従って、エラー状態１５０３、インク残量１５０４、次回推定起動時間１５０５はそれぞれ、エラー状態１３０５、インク残量１３０６、次回推定起動時間１３０７に対応する。ジョブ記憶部１５０６は、携帯型通信端末装置２００からＮＦＣで各種ジョブをＭＦＰ３００に投入する場合に使用する領域である。印刷ジョブ１５０７には、印刷ジョブがキューで格納されている。例えば、印刷設定、および画像へのリンク先が格納される。スキャンジョブ１５０８には、スキャンジョブがキューで格納されている。例えば、読取設定が格納される。ＦＡＸジョブ１５０９には、ＦＡＸジョブがキューで格納されている。例えば、送信先の電話番号や通信画質などが含まれるＦＡＸ設定、画像が既に読み取ってある場合にはその画像へのリンク先が格納される。設定変更ジョブ１５１０には、設定変更ジョブがキューで格納されている。例えば、本体の設定項目の変更に関するジョブが格納される。
【００４１】
図１６は、携帯型通信端末装置２００のＲＡＭの構成を示す図である。１６０１は、ＲＡＭ全体を表している。ワークメモリ１６０２は、プログラムの実行のために確保されるメモリである。画像処理バッファ１６０３は、画像をサムネイルサイズに縮小したり、バンド処理でＭＦＰに送ったりする時に使用するバッファである。
【００４２】
図１７は、携帯型通信端末装置２００の不揮発性メモリ８２２の構成を示す図である。１７０１は、不揮発性メモリ全体を表している。プリンタ一覧１７０２には、携帯型通信端末装置２００が現在までに接続したことのあるプリンタが一覧で格納されている。プリンタＡ１７０３は、そのプリンタの一例を表している。ネットワーク接続情報１７０４には、プリンタＡをネットワークに接続した時のネットワーク接続情報が格納されており、例えばＬＡＮ経由で接続した場合には接続先のアドレスおよび認証情報である。機器固有情報１７０５には、プリンタに関する情報が格納されており、例えばプリンタの解像度やインク数などの情報である。固有アプリケーション１７０６には、プリンタに固有の処理を行うためのアプリケーションが格納されており、ネットワーク経由でダウンロードまたは最初にプリンタに接続した時に、携帯型通信端末装置２００に保存される。固有アプリケーションは、画像をプリンタの仕様に即した形式に変換したり、バンド処理の制御を行ったり、通信の制御を行ったりする。その他１７０７には、プリンタＡに関する他の情報が格納される。プリンタＢ１７０８は、別のプリンタの一例を表している。ユーザデータ１７０９には、ユーザに関するデータで電話番号１７１０や、画像サーバアドレス１７１１などが格納されている。
【００４３】
図１８は、携帯型通信端末装置２００のＮＦＣメモリ１００５の構成を示す図である。１８０１は、ＮＦＣメモリ全体を表している。ユーザデータ１８０２には、電話番号１８０３、画像サーバアドレス１８０４などが格納されており、ユーザの指定によってユーザ指定データ１８０５なども追加して格納することができる。１８０１には、他にも、通信履歴１８０６などが格納されている。携帯型通信端末装置２００の電池残量が無くなった場合でも、パッシブモードでターゲットとして通信するときは、所定の手順で認証キー１８０７を用いて認証を行うことでＮＦＣメモリ１００５内のデータをリード／ライトすることができる。
【００４４】
図１９は、図１４で説明したＷＰＳ  Ｃｒｅｄｅｎｔｉａｌ認証情報とＯＯＢ認証情報の一例を示す図である。ＷＰＳ  ＣｒＥｄｅｎｔｉａｌ認証情報には、ＳＳＩＤ、Ｅｎｃｒｙｐｔｉｏｎ、Ａｕｔｈ  Ｔｙｐｅ、Ｎｅｔｗｏｒｋ  Ｋｅｙ、ＭＡＣ  ａｄｒｅｓｓなどが含まれる。また、ＯＯＢ認証情報には、ＢＴａｄｄｒｅｓｓ、Ｈａｓｈ  Ｃ、Ｒａｎｄｏｍｉｚｅｒ  Ｒなどが含まれる。これらの情報を、認証元から認証先に渡すことで認証を行い、ＷＬＡＮやＢｌｕｅｔｏｏｔｈによるピアツーピアの通信が可能となる。
【００４５】
図２０は、ＮＦＣユニットがイニシエータとして動作する手順を示すフローチャートである。図２０に示す各処理は、ＮＦＣユニットが搭載されている装置のＣＰＵ等によって実行される。まず、Ｓ２００１において、全てのＮＦＣユニットはターゲットとして動作し、イニシエータからの命令を待機する状態になる。次に、Ｓ２００２において、ＮＦＣユニットは、ＮＦＣ規格に準拠する通信を制御するアプリケーションからの要求により、イニシエータに切り替わることができる。ＮＦＣユニットがイニシエータに切り替わる要求に応じた場合、Ｓ２００３において、アプリケーションは、アクティブモードまたはパッシブモードのいずれかを選択して、伝送速度を決定する。次に、Ｓ２００４において、イニシエータは、自装置以外が出力するＲＦフィールドの存在を検出する。外部のＲＦフィールドの存在を検出した場合には、イニシエータは自らのＲＦフィールドは発生させない。外部のＲＦフィールドの存在を検出しなかった場合には、Ｓ２００５に進み、イニシエータは、自らのＲＦフィールドを発生させる。以上の工程を経て、ＮＦＣユニットは、イニシエータとして動作を開始する。
【００４６】
図２１は、パッシブモードによるデータ交換を行うシーケンスを示す図である。また、図２４は、図２１の流れをフローチャートとして示す図である。図２１に基づいて、図２４の各工程と対応付けながら説明する。図２４に示す各処理は、ＮＦＣユニットが搭載されている装置のＣＰＵ等によって実行される。以下、第１のＮＦＣユニット２１０１がイニシエータ、第２のＮＦＣユニット２１０２がターゲットとして動作している場合について説明する。まず、Ｓ２１０１において、第１のＮＦＣユニット２１０１は、単一デバイス検知を行い、第２のＮＦＣユニット２１０２を特定する（Ｓ２４０１）。つまり、Ｓ２１０１において第１のＮＦＣユニット２１０１と第２のＮＦＣユニット２１０２とは、お互いの存在を検出している。次に、Ｓ２１０２において、第１のＮＦＣユニット２１０１は、属性要求として自身の識別子や、送受信のビット伝送速度、有効データ長などを相手先に送信する（Ｓ２４０２）。また、属性要求は汎用バイトを有しており、任意に選択して使用することができる。第２のＮＦＣユニット２１０２は、有効な属性要求を受信した場合に、Ｓ２１０３において、属性応答を送信する。ここで、第２のＮＦＣユニット２１０２からの送信は負荷変調によって行われており、図中では、負荷変調によるデータ送信を点線の矢印で示す。
【００４７】
有効な属性応答を確認した後（Ｓ２４０３）、第１のＮＦＣユニット２１０１は、Ｓ２１０４において、パラメータ選択要求を送信して、引き続く伝送プロトコルのパラメータを変更することができる。パラメータ選択要求に含まれるパラメータとは、例えば、伝送速度と有効データ長である。第２のＮＦＣユニット２１０２は、有効なパラメータ選択要求を受信した場合に、Ｓ２１０５においてパラメータ選択応答を送信してパラメータを変更する（Ｓ２４０４〜Ｓ２４０９）。なお、Ｓ２１０４及びＳ２１０５は、パラメータ変更を行わない場合には省略しても良い。
【００４８】
次に、Ｓ２１０６において、第１のＮＦＣユニット２１０１と第２のＮＦＣユニット２１０２は、データ交換要求およびデータ交換応答によってデータ交換を行う（Ｓ２４１０）。データ交換要求およびデータ交換応答の際に、通信相手が有するアプリケーションに対する情報などをデータとして伝送することができ、データサイズが大きい場合には分割して送信することもできる。
【００４９】
データ交換が終了すると、Ｓ２１０７に移行し、第１のＮＦＣユニット２１０１は、選択解除要求または解放要求のいずれかを送信する（Ｓ２４１１、Ｓ２４１４）。選択解除要求を送信した場合に、第２のＮＦＣユニット２１０２は、Ｓ２１０８において選択解除応答を送信する（Ｓ２４１２）。第１のＮＦＣユニット２１０１は、選択解除応答を受信すると、第２のＮＦＣユニット２１０２を示す属性を解放して（Ｓ２４１３）、Ｓ２１０１に戻る。また、解放要求を送信した場合に、第２のＮＦＣユニット２１０２は、Ｓ２１０８で解放応答を送信して初期状態に戻る（Ｓ２４１５）。第１のＮＦＣユニット２１０１は、解放応答を受信すれば、ターゲットは完全に解放されているので、初期状態に戻っても良い。
【００５０】
図２２は、アクティブモードによるデータ交換を行うシーケンスを示す図である。また、図２５は、図２２の流れをフローチャートとして示す図である。図２２に基づいて、図２５の各工程と対応付けながら説明する。図２５に示す各処理は、ＮＦＣユニットが搭載されている装置のＣＰＵ等によって実行される。以下、第１のＮＦＣユニット２２０１がイニシエータ、第２のＮＦＣユニット２２０２がターゲットとして動作している場合について説明する。まず、Ｓ２２０１において、第１のＮＦＣユニット２２０１は、属性要求として自身の識別子や送受信のビット伝送速度、有効データ長などを送信する（Ｓ２５０１）。第２のＮＦＣユニット２２０２は、有効な属性要求を受信した場合に、Ｓ２２０２において属性応答を送信する。ここで、第２のＮＦＣユニット２２０２からの送信は、自らの発したＲＦフィールドによって行われる。このため、第１および第２のＮＦＣユニットは、データ送信が終了する際にはＲＦフィールドの出力を停止する。
【００５１】
有効な属性応答を確認した後（Ｓ２５０２）、第１のＮＦＣユニット２２０１は、Ｓ２２０３において、パラメータ選択要求を送信して伝送プロトコルのパラメータを変更することができる（Ｓ２５０４〜２５０８）。パラメータ選択要求に含まれるパラメータは、伝送速度と有効データ長である。第２のＮＦＣユニット２２０２は、有効なパラメータ選択要求を受信した場合に、Ｓ２２０４においてパラメータ選択応答を送信してパラメータを変更する。なお、パッシブモードの場合と同様に、Ｓ２２０３及びＳ２２０４は、パラメータ変更を行わない場合には、省略しても良い。
【００５２】
次に、Ｓ２２０５において、第１のＮＦＣユニット２２０１と第２のＮＦＣユニット２２０２は、データ交換要求およびデータ交換応答によってデータの交換を行う（Ｓ２５０９）。データ交換要求およびデータ交換応答の際に、アプリケーションに対する情報などをデータとして伝送することができ、データサイズが大きい場合には、分割して送信することもできる。
【００５３】
データ交換が終了するとＳ２２０６に移行し、第１のＮＦＣユニット２２０１は、選択解除要求または解放要求のいずれかを送信する（Ｓ２５０９、Ｓ２５１０）。選択解除要求を送信した場合に（Ｓ２５１０）、第２のＮＦＣユニット２２０２は、Ｓ２２０７において選択解除応答を送信する（Ｓ２５１１）。第１のＮＦＣユニット２２０１は、選択解除応答を受信すると、第２のＮＦＣユニット２２０２を示す属性を解放する（Ｓ２５１２）。その後、Ｓ２２０８において、第１のＮＦＣユニット２２０１は、識別子が既知な別のターゲットに対して起動要求を送信する（Ｓ２５１３）。起動要求を受けたターゲットは、起動応答をＳ２２０９において送信し（Ｓ２５１４）、Ｓ２２０１に戻る。また、Ｓ２２０６で解放要求を送信した場合に（Ｓ２５１５）、第２のＮＦＣユニット２２０２は、Ｓ２２０７で解放応答を送信して初期状態に戻る（Ｓ２５１６）。第１のＮＦＣユニット２２０１は、解放応答を受信すると、ターゲットは完全に解放されているので、初期状態に戻っても良い。
【００５４】
図２３は、ＮＦＣにおけるターゲットの状態遷移を示す図である。ＰＯＷＥＲ−ＯＦＦ状態Ｓ２３０１は、電源切断の状態を表している。Ｓ２３０１の状態において、ターゲットは、閾値Ｈｍｉｎよりも大きな磁場Ｈの中に置かれている場合には、ＳＥＮＳＥ状態Ｓ２３０２に移行する。ＳＥＮＳＥ状態Ｓ２３０２にある場合に、ターゲットは、イニシエータからの命令を待機している。ターゲットは、検知要求または全デバイス起動要求を受信した場合に、ＲＥＳＯＬＵＴＩＯＮ状態Ｓ２３０３に移行して検知応答を返信する。他の命令を受信した場合には、そのままＳＥＮＳＥ状態Ｓ２３０２に留まる。
【００５５】
ＲＥＳＯＬＵＴＩＯＮ状態Ｓ２３０３においては、単一デバイス検出が用いられる。単一デバイス検出の結果として、有効な選択要求を受信した場合に、ターゲットは選択応答をイニシエータに返してＳＥＬＥＣＴＥＤ状態Ｓ２３０４になる。他の命令を受信した場合には、ＳＥＮＳＥ状態Ｓ２３０２に戻る。
【００５６】
ＳＥＬＥＣＴＥＤ状態Ｓ２３０４において、ターゲットは、属性要求、パラメータ選択要求、または有効な独自仕様の命令を認識する。ターゲットは、有効な休止要求または選択解除要求を受信した場合に、ＳＬＥＥＰ状態S２３０５になる。その他の命令を受信した場合には、ＳＥＮＳＥ状態S２３０２に戻る。ＳＬＥＥＰ状態Ｓ２３０５のターゲットは、全デバイス起動要求を受信した場合に、検知応答を返してから、ＲＥＳＯＬＵＴＩＯＮ＊状態Ｓ２３０６に移行する。他の命令を受信した場合には、そのままＳＬＥＥＰ状態Ｓ２３０５に留まる。
【００５７】
ＲＥＳＯＬＵＴＩＯＮ＊状態Ｓ２３０６は、ＲＥＳＯＬＵＴＩＯＮ状態Ｓ２３０３とほぼ同じ状態であり、単一デバイス検出が用いられる。有効な選択要求を受信した場合に、ターゲットはＳＥＬＥＣＴＥＤ＊状態Ｓ２３０７に遷移する。その他の命令を受信した場合には、ＳＬＥＥＰ状態Ｓ２３０５に戻る。ＳＥＬＥＣＴＥＤ＊状態Ｓ２３０７は、ＳＥＬＥＣＴＥＤ状態Ｓ２３０４とほぼ同じ状態であり、ターゲットは、属性要求、パラメータ選択要求、または有効な独自仕様の命令を認識する。有効な休止要求または選択解除要求を受信した場合には、ＳＬＥＥＰ状態に遷移する。その他の命令を受信した場合には、ＳＬＥＥＰ状態にフォールバックする。
【００５８】
図２６は、ＮＦＣとＷＬＡＮとを切り換えてデータ転送を行うシーケンスを示す図である。ＮＦＣは、通信速度が数百ｂｐｓと比較的低速であるので、ＮＦＣを用いて認証等を行い、容量の大きいデータは、高速なＷＬＡＮで行うことで効率的なデータ転送を図ることができる。図２６は、携帯型通信端末装置２６０１上に存在する画像データを印刷装置２６０２で印刷するために、携帯型通信端末装置２６０１が主体となって転送する、いわゆるプッシュ型の一例を示す図である。図２６に示す携帯型通信端末装置側の処理は、例えばＣＰＵ８０２により実行され、印刷装置側の処理は、例えばＣＰＵ９０２により実行される。
【００５９】
Ｓ２６０１において、ＮＦＣ通信を確立するため、ＮＦＣ通信部２６０３がイニシエータとなって、ＮＦＣ通信部２６０５をターゲットとして検知する。ＮＦＣ通信部２６０５が正しく検知された場合に、Ｓ２６０２において、ＮＦＣ通信部２６０５は、検知応答を送信する。なお、図２６は携帯型通信端末装置２６０１がイニシエータとなる場合を示しているが、操作表示部３０５などからの入力に基づいて印刷装置２６０２がイニシエータとなっても良い。検知応答を正しく受信した場合に、ＮＦＣ通信部２６０３は、Ｓ２６０３においてＮＦＣ通信を行うための属性要求を送信する。属性要求を受信したＮＦＣ通信部２６０５は、Ｓ２６０４で属性応答を返信する。ここで、属性要求および属性応答では、それぞれイニシエータおよびターゲットのＮＦＣ−ＩＤを送信し、このＩＤによって通信相手を特定する。
【００６０】
Ｓ２６０５において相互認証が行われ、データ暗号化のための暗号鍵等を渡すことができる。なお、暗号鍵を渡す必要がない場合などは、この相互認証を行わなくても良い。その後、Ｓ２６０６において、ＮＦＣ通信部２６０３は、ＮＦＣ通信部２６０５に対して、印刷装置２６０２が利用可能な通信プロトコルの情報を要求する。この要求には携帯型通信端末装置２６０１が利用可能な通信プロトコルの情報が含まれており、ＮＦＣ通信部２６０５は、この要求を受信した際に、携帯型通信端末装置２６０１のＷＬＡＮ通信が利用可能であることを認識することができる。ＮＦＣ通信部２６０５は、Ｓ２６０７において、Ｓ２６０６で受信した要求に対して、自身の利用可能な通信プロトコルの情報を応答する。これによって互いの装置は、互いの利用可能な通信プロトコルを認識することができる。
【００６１】
ここで、認識したＮＦＣ以外のプロトコルであるＷＬＡＮが、ＮＦＣよりも高速なデータ転送が可能であり、ＷＬＡＮに切り換えて通信を行うことがイニシエータである携帯型通信端末装置２６０１によって決定されたとする。なお、切り換えを行うための決定は、印刷装置２６０２が行っても良い。その場合、Ｓ２６０８およびＳ２６０９において、ＷＬＡＮで通信を行うために必要な、通信相手を特定するアドレス等の情報を交換する。その後、Ｓ２６１０に移行し、ＮＦＣ通信部２６０３は、ＮＦＣ通信からＷＬＡＮ通信へと切り換える要求を送信する。ＮＦＣ通信部２６０５は、切り換えの要求を受信すると、Ｓ２６１１において、その要求に対する応答を行う。
【００６２】
正しい切り換え応答が得られたら、Ｓ２６１２において、ＮＦＣ通信部２６０３からＷＬＡＮ通信部２６０４へと、Ｓ２６１３において、ＮＦＣ通信部２６０５からＷＬＡＮ通信部２６０６へと、それぞれ切り換えを行う。切り換えを行った後、Ｓ２６１４において、ＮＦＣ通信部２６０３は、解放要求を送信する。解放要求を受信したＮＦＣ通信部２６０５は、Ｓ２６１５において解放応答を送信し、ＮＦＣ通信を終了する。
【００６３】
Ｓ２６１６以降では、Ｓ２６０８およびＳ２６０９で交換したＷＬＡＮ通信のための情報に基づいてＷＬＡＮ通信が行われる。まず、Ｓ２６１６において、ＷＬＡＮ通信部２６０４は、データ転送が可能であるか否かをＷＬＡＮ通信部２６０６に確認する。ここで、確認する内容とは、例えば、印刷装置２６０２内に転送しようとする画像を一時保存するための空き容量などである。ＷＬＡＮ通信部２６０６は、確認の要求を受信した後、Ｓ２６１７で確認に対する応答を送信する。正しい応答が得られてデータ転送が可能であると判定した場合に、ＷＬＡＮ通信部２６０４は、Ｓ２６１８において、携帯型通信端末装置２６０１に存在する画像データを、ＷＬＡＮ通信部２６０６に対して送信する。こうすることで、容量の大きいデータは、より高速な通信プロトコルを用いて転送することができる。
【００６４】
図２７は、携帯型通信端末装置２７０１上に存在する画像データを印刷装置２７０２で印刷するために、印刷装置２７０２が主体となって転送する、いわゆるプル型の一例を示す図である。Ｓ２７０１〜Ｓ２７１５の手順は、図２６のＳ２６０１〜Ｓ２６１５と同様である。ＮＦＣ規格による通信からＷＬＡＮ通信に切り換わった後、まず、Ｓ２７１６において、ＷＬＡＮ通信部２７０６からＷＬＡＮ通信部２７０４に対して、データ取得の確認要求が送信される。ここで確認される内容とは、例えば携帯型通信端末装置２７０１が転送する予定のデータサイズなどである。転送データに関する確認の要求を受信した後、ＷＬＡＮ通信部２７０４は、Ｓ２７１７において応答を送信する。正しい応答が得られて、印刷装置の空き容量などを考慮した上でデータ転送が可能であると判定した場合に、ＷＬＡＮ通信部２７０６は、Ｓ２７１８において、画像データを要求する。正しい要求を受信した場合に、ＷＬＡＮ通信部２７０４は、Ｓ２７１９において要求された画像データを送信する。Ｓ２６１８またはＳ２７１９において、画像データが送信された後、印刷装置２６０２又は２７０２は、印刷を開始する。
【００６５】
図２８は、携帯型通信端末装置２８０１が送信した印刷ジョブの印刷対象となる画像データがサーバ装置にある場合の例を示す図である。Ｓ２８０１〜Ｓ２８０６は、Ｓ２７０１〜Ｓ２７０６と同じである。サーバ装置２８０７には、印刷対象となる画像データが保存されている。Ｓ２８０１〜Ｓ２８０５は、Ｓ２７０１〜Ｓ２７０５の説明と同じである。Ｓ２８０６において、ＮＦＣ通信部２８０５は、ＮＦＣ通信部２８０３から印刷ジョブを受信する（ジョブ受信）。印刷ジョブには、印刷設定、画像データ名、画像データへのパス情報、画像データが携帯型通信端末装置２８０１とは別の格納場所にある場合にはその格納場所の情報、格納場所の認証情報など、印刷に必要な情報が含まれている。また、印刷設定には、印刷サイズ、印刷品質など、印刷設定に必要な情報が含まれている。
【００６６】
印刷装置２８０２は、受信した印刷ジョブを実行し（ジョブ実行）、印刷ジョブ内の印刷対象の画像データのリンク先等を参照して、画像データがサーバ装置２８０７にあると判定した場合には、Ｓ２８０９以降の処理で画像データを取得する。Ｓ２８０７において、ＮＦＣ通信部２８０３は、解放要求を送信する。解放要求を受信したＮＦＣ通信部２８０５は、Ｓ２８０８において解放応答を返信してＮＦＣ通信を終了する。Ｓ２８０９において、印刷装置２８０２は、ＷＬＡＮを用いてネットワーク１００経由でサーバ装置２８０７に接続要求を送信する。サーバ装置２８０７は、Ｓ２８１０において接続応答を送信して接続が可能である旨を通知する。Ｓ２８１１において、ＷＬＡＮ通信部２８０６は、画像データを要求し、Ｓ２８１２において、サーバ装置２８０７は、画像データを送信する。画像データを受信し終わると、印刷装置２８０２は、Ｓ２８１３において通信切断要求を送信し、サーバ装置２８０７は、Ｓ２８１４において通信切断応答を返信して、通信を終了する。
【００６７】
図２８のシーケンスを実行する際に、印刷装置２８０２が紙詰まり等のエラー状態であった場合、携帯型通信端末装置２８０１のユーザは気がつかずに印刷ジョブを送信してしまう可能性がある。また、携帯型通信端末装置２８０１上で印刷設定を行ってから印刷装置２８０２に印刷ジョブを送信する際に印刷装置２８０２がエラー状態であると、それまでに行った画像の選択等の操作が無駄になってしまう。
【００６８】
そこで、本実施例においては、図２９に示す処理を実行することで、携帯型通信端末装置２８０１のユーザが無駄な操作を行うことを防ぐ。図２９に示す各処理は、印刷装置２８０２のＣＰＵ９０２により実行される。Ｓ２９０１において、印刷装置２８０２がエラー状態であるか否かを判定する。ここで、エラー状態の判定とは、印刷装置２８０２が印刷に影響を与える状態であるか否かということである。例えば、インク無しエラー、紙ジャムエラーなどである。エラー以外でも影響を与える可能がある警告をエラー状態として判定しても良い。例えば、そのような警告として、インク少警告、用紙無し警告など、印刷している最中に発生する可能性が高いものであったり、印刷はできるのだが画質に影響がある状態である印刷画像不良警告などがある。このような状態が検知された場合には、Ｓ２９０２に進み、状態通知アプリ１を起動する。
【００６９】
状態通知アプリ１とは、印刷装置２８０２がエラーなどの印刷に影響を与える状態である場合に、ＮＦＣで印刷ジョブを送信してくる装置にエラーの旨を通知するためのアプリケーションである。印刷装置２８０２の表示部９１１にエラーを表示させても良い。Ｓ２９０３において、状態通知アプリ１がＮＦＣ通信部２８０５をイニシエータモードに遷移させてＳ２９０４に進む。Ｓ２９０４において、ＮＦＣ機器が接近（近接）したことを検知すると、Ｓ２９０５に進む。ここで接近するＮＦＣ機器は、イニシエータモードとターゲットモードとのいずれでも良い。イニシエータモードのＮＦＣ機器が近づいてきた場合には、印刷装置２８０２のＮＦＣ機器はターゲットモードに戻って、携帯型通信端末装置２８０１と通信を行う。一方、ターゲットモードのＮＦＣ機器が近づいてきた場合には、印刷装置２８０２のＮＦＣ機器は、そのまま携帯型通信端末装置２８０１と通信を行う。通信の確立ができたらＳ２９０５に進み、印刷装置２８０２の状態を通知し、Ｓ２９０６に進み、本処理を終了する。
【００７０】
本実施例においては、図２９に示す処理を実施することで携帯型通信端末装置２８０１のユーザは印刷装置２８０２のエラーを事前に知ることができるので、画像の選択等無駄な操作を行うことを防ぐことができる。例えば、携帯型通信端末装置上では何も操作しない状態で、ユーザが印刷したい印刷装置に近づけるだけで印刷可能かどうかを知ることができる。また、印刷以外の操作で近づけた場合でも優先してエラー情報を通知してくれるので、ユーザは印刷装置２８０２のエラー状態を把握することができる。また、イニシエータモードに遷移をすると電力消費量が大きくなるため、前述したスリープモード（省電力モード）の時はイニシエータモードに遷移をしない制御を行っても良い。
【００７１】
図２８に示すシーケンスを実行することで、携帯型通信端末装置２８０１は、サーバ装置２８０７にある画像データを印刷できる。しかしながら、携帯型通信端末装置２８０１は、印刷ジョブを送信した後は携帯端末を持ち運ぶために、印刷装置２８０２との通信が切断され、印刷の進行状況又は印刷実行結果を知ることができない。また、もし前回の印刷の実行が失敗していた場合に、携帯型通信端末装置２８０１のユーザは、その印刷の失敗に気がつかないで、次々と別の印刷ジョブを送信してしまう可能性がある。特に、サーバ装置２８０７の画像データに問題があるために印刷できなかった場合や、サーバ装置２８０７に接続できなくて印刷できなかった場合には、印刷装置２８０２には問題が無いために、印刷装置２８０２の表示部９１１にはエラー情報が表示されない。
【００７２】
ここで、画像データに問題がある場合とは、例えば、特定の画像データがデコードできなかった場合や、画像データが存在しなかった場合や、画像データのサイズがユーザ指定と違っていた場合などである。その場合には、印刷装置２８０２を不特定多数のユーザが使用することを考えると、特定のユーザに対応する印刷ジョブの失敗の旨のエラー表示を行うことは、そのエラーに関係が無いユーザに混乱を生じさせてしまう。
【００７３】
図３０は、本実施例における、印刷ジョブを原因とするエラー通知を行う処理の手順を示すフローチャートである。図３０における処理を実行することにより、画像データのエラー等により失敗した旨を、印刷ジョブを投入した人だけにエラー通知することができる。図３０のＳ３０００は、Ｓ２８１４で印刷が終了した時点の印刷装置２８０２の状態である。図３０に示す各処理は、印刷装置２８０２のＣＰＵ９０２等により実行される。
【００７４】
Ｓ３００１において、印刷ジョブの実行が成功したか失敗したかを判定する。成功したと判定された場合には、ユーザにエラーを通知する必要はないのでＳ３０１０に進み、本処理を終了する。失敗したと判定された場合には、Ｓ３００２に進み、状態通知アプリ２を起動する。状態通知アプリ２とは、印刷装置２８０２で行った前回の印刷実行結果がエラーであった場合に、そのエラーの旨をＮＦＣ通信で通知するアプリケーションである。Ｓ３００３において、ＮＦＣ通信部２８０５をイニシエータモードに遷移させてＳ３００４に進む。
【００７５】
Ｓ３００４において、ＮＦＣ機器が接近したことを検知すると、Ｓ３００５に進む。Ｓ３００５では、印刷装置２８０２に近接した携帯端末のＮＦＣＩＤを取得する。Ｓ３００６において、Ｓ３００４で近接した携帯型通信端末機器が前回の印刷がエラーであった機器であるか否かを判定する。この判定は、例えば、前回の印刷エラーの発生時（例えば、画像データのフォーマットエラー）に、その印刷ジョブを投入した携帯型通信端末機器のＮＦＣＩＤをＲＡＭ等の記憶領域に記憶しておき、Ｓ３００５で取得したＮＦＣＩＤと比較しても良い。また、別の比較手段として携帯型通信端末機器のシリアル番号や、アプリケーションによって定めた一意の識別番号、ユーザＩＤなど一意に決定される識別子を用いることも可能である。また、製品種別、アプリケーション種別など、一意でない情報であっても一致した場合は印刷がエラーであった機器であると判断しても良い。
【００７６】
Ｓ３００６でエラーであった機器であると判定された場合には、Ｓ３００７に進み、エラーであった機器でないと判定された場合には、Ｓ３００９に進む。Ｓ３００８において、Ｓ３００４で近接した携帯型通信端末機器から新たな印刷ジョブを受け付けないようにする。そして、Ｓ３００８において、前回の印刷ステータス（即ち、印刷エラー）を、近接した携帯型通信端末機器に通知し、Ｓ３０１０に進んで本処理を終了する。一方、Ｓ３００９においては、新たな印刷ジョブを受け付けて、Ｓ３０１０に進んで本処理を終了する。
【００７７】
図３０に示す処理を実行することにより、前回の印刷ジョブが失敗したユーザは、次の印刷ジョブを投入する前に失敗の旨を知ることができるので、失敗に気がつかないで連続して印刷ジョブを投入することを防ぐことができる。また、失敗した印刷ジョブとは関係無いユーザは無駄な通知を知ることは無いので誤解をされる可能性が減る。
【００７８】
以上の実施例によれば、装置においてエラーが発生したときに、その装置をイニシエータとしてエラー情報を発信するようにしたので、携帯端末のユーザにエラーを適切に通知することができる。
【００７９】
なお、イニシエータとしてのモードになるタイミングは、携帯端末とのＮＦＣの通信が途切れたときでもよいし、エラーが発生したときにＮＦＣの接続を切ってから、イニシエータとなってもよい。またＮＦＣの接続を切るための判断は、携帯端末が行ってもよいし、印刷装置が行ってもよい。
【００８０】
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。また、プログラムを実行するコンピュータは、１つであってもよいし、複数のコンピュータが協働してプログラムを実行するものであってもよい。さらに、プログラムの一部を実行する回路等のハードウェアを設け、そのハードウェアと、ソフトウェアを実行するコンピュータが協働して、本実施例で説明した処理を実行する場合であってもよい。
【図１】
2013187567.tif 000003
【図２】
2013187567.tif 000004
【図３】
2013187567.tif 000005
【図４】
2013187567.tif 000006
【図５】
2013187567.tif 000007
【図６】
2013187567.tif 000008
【図７】
2013187567.tif 000009
【図８】
2013187567.tif 000010
【図９】
2013187567.tif 000011
【図１０】
2013187567.tif 000012
【図１１】
2013187567.tif 000013
【図１２】
2013187567.tif 000014
【図１３】
2013187567.tif 000015
【図１４】
2013187567.tif 000016
【図１５】
2013187567.tif 000017
【図１６】
2013187567.tif 000018
【図１７】
2013187567.tif 000019
【図１８】
2013187567.tif 000020
【図１９】
2013187567.tif 000021
【図２０】
2013187567.tif 000022
【図２１】
2013187567.tif 000023
【図２２】
2013187567.tif 000024
【図２３】
2013187567.tif 000025
【図２４】
2013187567.tif 000026
【図２５】
2013187567.tif 000027
【図２６】
2013187567.tif 000028
【図２７】
2013187567.tif 000029
【図２８】
2013187567.tif 000030
【図２９】
2013187567.tif 000031
【図３０】
2013187567.tif 000032